(57)【特許請求の範囲】
【請求項１】
天板の下面両側部に設けた左右１対の前後方向を向くブラケットを、それぞれ左右方向を向く枢軸をもって左右脚柱の上端部に枢着することにより、前記天板を、脚柱の上端近くにおいて倒伏する水平の使用位置と、脚柱の前側において起立する折り畳み位置との間を回動しうるようにした折り畳みテーブルにおいて、
前記両脚柱の少なくともいずれか一方の上端部内側面に、前記枢軸が挿通する軸孔と、前記ブラケットに設けた左右方向を向く２本の係止ピンと係合して前記天板を水平の使用位置と起立位置とに保持しうる２個の係止溝とを有する支持片を設け、この支持片の上端部と、レバー操作に連動して前記係止ピンと係止溝との係脱を行う係止ピン移動部材とを、ほぼ下向きコ字形とした前記一方のブラケットの対向する左右垂下片間に収容し、それらを前記枢軸と係止ピンとにより前後に摺動可能に枢着し、係止ピン移動部材の中央部に、前後方向を向く矩形長孔を、上下に貫通するようにして設け、この矩形長孔内に支持片の上端部を挿入して枢軸により枢着したことを特徴とする折り畳みテーブル。
【発明の詳細な説明】
【０００１】
【発明の属する技術分野】
本発明は、脚柱の上端部に設けた天板を、水平の使用位置と、脚柱の前側において起立する折り畳み位置との間を回動しうるようにした折り畳みテーブルに関する。
【０００２】
【従来の技術】
この種の従来の折り畳みテーブルとしては、例えば特許第２８６８７５５号公報に記載されているものがある。
【０００３】
【発明が解決しようとする課題】
上述した従来の折り畳みテーブルとしては、支柱（脚柱）の上端に横架したビームの上端に、天板を水平位置と起立位置とに保持する２個の係止溝を有する上向きコ字形のラッチプレート部材を固着し、このラッチプレート部材に、天板の下面に固着した上向きコ字状のフレームを上向きに回動可能として枢着しているため、ラッチプレート部材及びそれに形成された係止溝が、テーブルの使用時及び折り畳み時のいずれにおいても、側方より露見され、体裁が悪いという問題がある。
【０００４】
また、天板を水平の使用位置や起立位置に回動させる際、係止ピンと係止溝との間に指等を挟む恐れがある。
【０００５】
本発明は、上記問題点を解決するためになされたもので、天板を使用位置と起立位置とに保持する支持部材を、それらのいずれの位置においても隠蔽されるようにして、体裁を向上するとともに、係止ピンと係止溝との間に指等を挟むのを防止し得るようにした折り畳みテーブルを提供することを目的としている。
【０００６】
【課題を解決するための手段】
上記課題を解決するために、本発明の折り畳みテーブルは、天板の下面両側部に設けた左右１対の前後方向を向くブラケットを、それぞれ左右方向を向く枢軸をもって左右脚柱の上端部に枢着することにより、前記天板を、脚柱の上端近くにおいて倒伏する水平の使用位置と、脚柱の前側において起立する折り畳み位置との間を回動しうるようにした折り畳みテーブルにおいて、
前記両脚柱の少なくともいずれか一方の上端部内側面に、前記枢軸が挿通する軸孔と、前記ブラケットに設けた左右方向を向く２本の係止ピンと係合して前記天板を水平の使用位置と起立位置とに保持しうる２個の係止溝とを有する支持片を設け、この支持片の上端部と、レバー操作に連動して前記係止ピンと係止溝との係脱を行う係止ピン移動部材とを、ほぼ下向きコ字形とした前記一方のブラケットの対向する左右垂下片間に収容し、それらを前記枢軸と係止ピンとにより前後に摺動可能に枢着し、係止ピン移動部材の中央部に、前後方向を向く矩形長孔を、上下に貫通するようにしたことを特徴としている。
この特徴によれば、天板を使用位置と起立位置に保持する係止溝を有する支持片を、脚柱の内側面に設けるとともに、支持片の上端部を下向きコ字形のブラケットの垂下片間に収容しているため、支持片及びそれに形成した係止溝が、天板の使用時及び起立時のいずれにおいても脚柱と垂下片とにより隠蔽され、外観的体裁が向上する。また、係止ピンと係止溝との間に指等を挟む恐れはない。更に支持片の上端部の左右両側が、係止ピン移動部材における矩形長孔部の左右の側片とブラケットの左右の垂下片との２枚板により保持されるため、左右方向の支持強度が高まる。
【０００８】
【発明の実施の形態】
以下、本発明の実施例を図面に基づいて説明する。図１は本発明の一実施形態に係り、天板が水平使用位置に保持された折り畳みテーブルの側面図、図２は天板が起立状態に折り畳まれた折り畳みテーブルの側面図、図３の（ａ）はレバー操作との連動により係止ピンと係止溝とが解除される直前の状態を示す係止ピン移動部材の側面図、（ｂ）は（ａ）のＡ−Ａ断面図、図４はレバー操作との連動により係止ピンと係止溝とが解除されて天板が起立した状態を示す係止ピン移動部材の側面図、図５は図３（ａ）のＢ−Ｂ断面図であり、図６は起立状態に天板を折り畳み複数の折り畳みテーブルが集合した状態を示す側面図である。
【０００９】
先ず、図１及び図２には、折り畳みテーブル１が示されており、この折り畳みテーブル１は、底面の左右ないし前後の４箇所に配設された一対の車輪Ｓ１、Ｓ２に支持されて床面Ｆ上を移動可能であって、床面Ｆの所定位置に停止保持することができるベースＢの前方に一対の脚柱４が立設している。
【００１０】
立設した一対の脚柱４の上端部には、天板であるテーブル２中央の前方寄り下面が枢軸５に枢着支持され、テーブル２前方側の左右下面に設けられた一対のブラケットＢＫの枢軸Ｊ１には、矩形に形成された幕板Ｌ１の上端左右側が枢着されると共に、その下端左右側には、両脚柱４中間の枢軸Ｊ３に枢支された一対のリンクＬ２が枢着され、幕板Ｌ１は枢軸５を中心とするテーブル２の揺動に連動するようになっている。
【００１１】
すなわち、折り畳みテーブル１は、テーブル２の下面両側部に設けた左右１対の前後方向を向くブラケット３を、それぞれ左右方向を向く枢軸５をもって左右一対の脚柱４上端部に枢着することにより、テーブル２を、両脚柱４の上端近くにおいて倒伏する水平の使用位置と、脚柱４の前側において起立する折り畳み位置との間を回動しうるようになっている。
【００１２】
更に詳しくは、折り畳みテーブル１は、図３（ａ）、（ｂ）に示すように、両脚柱４の上端部内側面に、枢軸５が挿通する軸孔７と、ブラケット３に設けた左右方向を向く２本の係止ピン８、９と係合してテーブル２を水平の使用位置と起立位置とに保持しうる２個の係止溝１０ａ、１０ｂとを前後に有する支持片１２を設け、この支持片１２の上端部と、後述する操作レバー１３のレバー操作に連動して係止ピン８、９と両係止溝１０ａ、１０ｂとの係脱を行う係止ピン移動部材１５とを、ほぼ下向きコ字形とした一方のブラケット３の対向する左右垂下片３ａ、３ｂ間に収容し、それらを枢軸５と係止ピン８、９とにより前後に摺動可能に枢着した構成となっている。
【００１３】
係止ピン移動部材１５は、図５に示されるように、前後方向に延びる矩形に形成されて中央部に前後方向を向く矩形長孔１４が上下に貫通するように形成されて、この矩形長孔１４内に支持片１２の上端部１２ａが挿通した状態で収容され、上端部１２ａに形成された軸孔７に、ブラケット３に貫通支持された枢軸５が枢着している。
【００１４】
さらに、係止ピン移動部材１５は、ブラケット３の対向する左右垂下片３ａ、３ｂの前後に貫通形成された一対の長孔１６、１７に対応するよう前後に軸孔１８、１９が形成され、ブラケット３の外側から挿通して前後の軸孔１８、１９を貫通した係止ピン８、９の両端が一対の長孔１６、１７に支持されて前後方向に移動可能に構成されている。
【００１５】
なお、図３の（ｂ）に示されるように、ブラケット３の外側面には、カバーＣが固定されており、ブラケット３の外側から挿通支持された枢軸５ないし係止ピン８、９の頭部が押圧保持され、これらの軸の抜け止めを行っている。
【００１６】
そして、係止ピン移動部材１５の前端部にはブラケット３の前端に係止された引張りバネ２０が係止されており、その後端部には連結部材２５が操作レバー１３によって回動する部材２４との間に張設されている。
【００１７】
すなわち、操作レバー１３は、ブラケット３の側面より貫通支持された支軸２３を介して回動可能に軸支され、この支軸２３に取付けられてブラケット３内に収容されている部材２４に連結部材２５の端部が係止されている。
【００１８】
また、係止ピン移動部材１５内の矩形長孔１４より挿通して収容された支持片１２の上端部１２ａは、ブラケット３の軸孔７に支持された枢軸５に枢動可能に枢着され、係止ピン移動部材１５は長孔６の範囲内で移動可能となっている。
【００１９】
更に、支持片１２は、図３の（ａ）に示すように、テーブル２が水平の使用位置に倒伏した状態において、支持片１２の後方上端に形成された係止溝１０ｂが、後方の係止ピン９に係止し、図４に示すようにテーブル２が起立する折り畳み位置に回動した状態において、前方下方に形成された係止溝１０ａが、前方の係止ピン８に係止しうるように構成されている。
【００２０】
次に、折り畳みテーブルの折り畳み操作につき説明する。
【００２１】
先ず、図１ないし図３の（ａ）、（ｂ）に示されるように、折り畳みテーブル１が使用状態である場合には、テーブル２が水平状態に保持されている。
【００２２】
すなわち、水平状態でテーブル２が保持された状態では、下向きコ字形のブラケット３内に収容された係止ピン移動部材１５が、ブラケット３の長孔１６、１７に係止ピン８、９の両端が案内支持されて引張りバネ２０により前方に付勢された状態となっており、後方の係止ピン９が引張りバネ２０の付勢力により支持片１２上端後方の係止溝１０ｂに係止した状態となっている。
【００２３】
これと同時に、テーブル２の前方下面には、枢軸Ｊ１を介して幕板Ｌ１上端の左右が枢着支持されると共に、この幕板Ｌ１下端の左右には両脚柱４中間の枢軸Ｊ３に枢着された一対のリンクＬ２が枢動可能に支持され、幕板Ｌ１はテーブル２に連動して揺動するようになっている。
【００２４】
次に、水平状態にあるテーブル２を起立させる場合は、図２ないし図４に示されるように、操作レバー１３を反時計回りに回動させる。すなわち、操作レバー１３を回動することにより、部材２４が同方向に回動し連結部材２５を介して係止ピン移動部材１５が引張りバネ２０に抗して後方（図中右側）に移動する。
【００２５】
これにより、係止ピン９が支持片１２後方の係止溝１０ｂから離脱し、テーブル２は枢軸５を中心として回動可能な状態となる。
【００２６】
そこで、テーブル２をほぼ垂直状態まで反時計回りに回動させると、係止ピン移動部材１５に設けられた係止ピン８が、支持片１２上方の前方に突設した突設部を乗り越えて係止溝１０ａ内に飛び込んだところで、引張りバネ２０の付勢力により係止され、テーブル２は起立状態が保持されることとなる。
【００２７】
このように起立状態となった折り畳みテーブル１は、テーブル２が脚柱４と平行な状態となることから、テーブル２同士が干渉せずに接近することができ、図６に示されるように、集合した状態でも占有する床面積を縮小することができる。
【００２８】
従って、テーブル２を水平な使用位置と起立位置に保持する係止溝１０ａ、１０ｂを有する支持片１２を、脚柱４の内側面に設けるとともに、この支持片１２の上端部を下向きコ字形のブラケット３の垂下片３ａ、３ｂ間に収容しているため、支持片１２及びそれに形成した係止溝１０ａ、１０ｂが、テーブル２の使用時及び起立時のいずれにおいても脚柱４と垂下片３ａ、３ｂとにより隠蔽され、外観的体裁が向上する。
【００２９】
また、支持片１２の上端部１２ａは、係止ピン移動部材１５の矩形長孔１４内に収容されると共に、この係止ピン移動部材１５は、ブラケット３の対向する左右垂下片３ａ、３ｂ間に収容されているので、テーブル２の回動操作時に係止ピン８、９と係止溝１０ａ、１０ｂとの間に指等が挟まれる恐れはない。
【００３０】
更に、係止ピン移動部材１５は、その中央部に、前後方向を向く矩形長孔１４が上下に貫通するようにして設けられており、この矩形長孔１４内に支持片１２の上端部１２ａを挿入して枢軸５により枢着する構成となっているので、支持片１２の上端部１２ａの左右両側が、係止ピン移動部材１５における矩形長孔１４の左右の側片と、ブラケット３の左右の垂下片３ａ、３ｂとの２枚板により保持されるため、左右方向の支持強度が高められる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
【発明の効果】
本発明によれば、次のような効果が得られる。
【００３３】
（ａ）請求項１に記載の発明によれば、天板を使用位置と起立位置に保持する係止溝を有する支持片を、脚柱の内側面に設けるとともに、支持片の上端部を下向きコ字形のブラケットの垂下片間に収容しているため、支持片及びそれに形成した係止溝が、天板の使用時及び起立時のいずれにおいても脚柱と垂下片とにより隠蔽され、外観的体裁が向上する。また、係止ピンと係止溝との間に指等を挟む恐れはない。更に支持片の上端部の左右両側が、係止ピン移動部材における矩形長孔部の左右の側片とブラケットの左右の垂下片との２枚板により保持されるため、左右方向の支持強度が高まる。
【図面の簡単な説明】
【図１】本発明の一実施形態に係り、天板が水平使用位置に保持された折り畳みテーブルの側面図である。
【図２】天板が起立状態に折り畳まれた折り畳みテーブルの側面図である。
【図３】（ａ）はレバー操作との連動により係止ピンと係止溝とが解除される直前の状態を示す係止ピン移動部材の側面図、（ｂ）は（ａ）のＡ−Ａ断面図である。
【図４】レバー操作との連動により係止ピンと係止溝とが解除されて天板が起立した状態を示す係止ピン移動部材の側面図である。
【図５】図３（ａ）のＢ−Ｂ断面図である。
【図６】起立状態に天板を折り畳み複数の折り畳みテーブルが集合した状態を示す側面図である。
【符号の説明】
１                      折り畳みテーブル
２                      テーブル（天板）
３                      ブラケット
３ａ、３ｂ              垂下片
４                      脚柱
５                      枢軸
６                      長孔
７                      軸孔
８、９                  係止ピン
１０ａ、１０ｂ          係止溝
１２                    支持片
１２ａ                  上端部
１３                    操作レバー
１４                    矩形長孔
１５                    係止ピン移動部材
１６、１７              長孔
１８、１９              軸孔
２０                    バネ
２３                    支軸
２４                    部材
２５                    連結部材
Ｂ                      ベース
ＢＫ                    ブラケット
Ｃ                      カバー
Ｆ                      床面
Ｊ１、Ｊ２、Ｊ３        枢軸
Ｌ１                    幕板
Ｌ２                    リンク
Ｓ１、Ｓ２              車輪
【図１】
0004567868.tif 000002
【図２】
0004567868.tif 000003
【図３】
0004567868.tif 000004
【図４】
0004567868.tif 000005
【図５】
0004567868.tif 000006
【図６】
0004567868.tif 000007